【手続補正書】
【提出日】平成30年7月5日(2018.7.5)
【手続補正１】
【補正対象書類名】明細書
【補正対象項目名】００１１
【補正方法】変更
【補正の内容】
【００１１】
図１に図解されている例に示すように、キオスク１２は、１つまたは複数のユーザインターフェースメカニズム１６を含むことができる。ユーザインターフェースメカニズムは、ユーザ（例として、顧客、顧客になる可能性がある者、管理者、保守技術員など）に情報を表示もしくは提供し、および／または、ユーザから情報を受信するのに適した任意のいくつかのデバイスを含んでもよい。したがって、ユーザインターフェースメカニズム（複数可）１６は、たとえば、液晶ディスプレイ（ＬＣＤ）、タッチスクリーンＬＣＤ（例として、１５インチタッチスクリーンＬＣＤ）、陰極線管（ＣＲＴ）、プラズマディスプレイ、キーパッド、キーボード、コンピュータマウスもしくはローラボール、ジョイスティック、１つもしくは複数のスイッチもしくはボタン、ユーザインターフェース（例として、グラフィックユーザインターフェース（ＧＵＩ）および／もしくはテキストベースのユーザインターフェース）、または、任意の他のディスプレイもしくはモニタデバイスのうちの１つまたは複数を含んでもよい。ユーザインターフェースメカニズム（複数可）１６は、カードリーダ（例として、クレジットカード、デビットカード、ポイントカード、ギフトカード、および他の同様のカード用）、無線周波数識別（ＲＦＩＤ）リーダ、硬貨投入器、プリンタ、ポイントカードまたはギフトカードディスペンサ、マイクロフォン、および／またはスピーカのうちの１つまたは複数をさらに含んでもよい。例示的な実施形態において、キオスク１２の１つまたは複数のユーザインターフェースメカニズム１６は、キオスクと同じ場所に配置されており、顧客の手が届くように、その外側ハウジング内に、または、それに近接してのいずれかで配置されてもよい。したがって、下記により完全に説明されるように、ユーザインターフェースメカニズム（複数可）１６は、キオスク１２とユーザとの間のインターフェースを提供し、それらの間の片方向または双方向のいずれかの通信を可能にするように構成することができる。
【手続補正２】
【補正対象書類名】明細書
【補正対象項目名】００１４
【補正方法】変更
【補正の内容】
【００１４】
いずれにせよ、ユーザインターフェース（複数可）１６、２２のうち１つまたは複数を介してユーザによって与えられる入力は、たとえば、その後、受信された入力に応答して特定の動作を行うことができる、キオスク１２の構成要素（例として、ＥＣＵ１８）または中央ホスト１４に通信することができる。一実施形態において、ユーザインターフェース（複数可）１６、２２と、システム１０の意図される構成要素との間の通信は、直接通信であってもよい（すなわち、電気信号が、ユーザインターフェースから意図される構成要素（例として、キオスク１２、中央ホスト１４の構成要素など）へと直接的に流れる）。一方、他の実施形態において、通信は、ユーザインターフェースにおいて受信される入力が、ユーザインターフェースからキオスク１２またはシステム１０の１つまたは複数の他の構成要素へ、その後、意図される受信者へとルーティングおよび中継され得るような、間接的なものであってもよい。たとえば、ユーザインターフェースにおいて受信される入力は、ユーザインターフェースから中央ホスト１４へとルーティングすることができ、中央ホスト１４はその後、入力をキオスク１２へと中継することができる。同様に、別の例において、ユーザインターフェースにおいて受信される入力は、ユーザインターフェースからコントローラまたはそれと関連付けられているＥＣＵへと通信することができ、その後、これは、入力を、たとえば、キオスク１２のＥＣＵ１８または中央ホスト１４のような、意図される受信者へと中継することができる。また別の例において、ユーザインターフェースにおいて受信される入力は、入力が意図される受信者に到達する前に、たとえば、例としてハブ（例として、図１のハブ２３）、ルータ（例として、図１のルータ２５）、モデムなどのような、キオスク１２の１つまたは複数の中間構成要素を通じてルーティングすることができる。したがって、ユーザインターフェースにおいて受信されるユーザ入力は、任意のいくつかの方法で、システム１０の意図される構成要素（複数可）に通信することができ、それらの方法の各々は本開示の趣旨および範囲内にとどまることが諒解されよう。上述した通信が片方向または双方向であるかにかかわらず、そのような通信は、たとえば、後述するもののうちの１つまたは複数のような、任意のいくつかの周知の通信技法およびプロトコルによってサポートまたは促進することができることがさらに諒解されよう。
【手続補正３】
【補正対象書類名】明細書
【補正対象項目名】００６５
【補正方法】変更
【補正の内容】
【００６５】
ステップ１０８における電気信号の受信に応答して、方法１００は、共有されているレシピを、第２のユーザが閲覧するために表示することができ（例として、ユーザインターフェースの特定のフィールドがレシピに従って自動的にデータ投入され得る）、第２のユーザが、レシピに対応する飲料の注文を行うために対話することができるユーザインターフェースを生成するステップ１１０を含む。言い換えれば、ステップ１０８においてリンクが起動される結果として、たとえば、第２のユーザの側で関与することなく、注文されている飲料の１つまたは複数のパラメータの定義のような、初期注文機能のいくつかが実施され得る。ステップ１１０において生成されるインターフェースは、ユーザインターフェースメカニズム（複数可）１６のうちの１つを含むか、もしくは、当該メカニズム上に表示することができ、または、ユーザインターフェース（複数可）２２のうちの１つを含むことができる。一実施形態において、ユーザインターフェースは、図３に示すユーザインターフェース２２２／２４２を含むことができ、そのため、第２のユーザによって、レシピに対応する飲料の注文を行うために使用することができるユーザ選択可能またはユーザ入力可能発注フィールド２６４を含むことができる。ステップ１１０において生成されるユーザインターフェースはまた、追加のフィールド、たとえば、中でも、第２のユーザが、第２のユーザに対応し、システム１０のメモリデバイス内またはメモリデバイス上に記憶されているレコード内にレシピを保存することを可能にするためのフィールド、第２のユーザが、第２のユーザのお気に入りレシピのリストにレシピを追加することを可能にするためのフィールド（例として、付随して、結果としてレシピが保存されるようにもする、図３のインターフェース２２２／２４２上のフィールド２６７）をも含む。
【手続補正４】
【補正対象書類名】特許請求の範囲
【補正対象項目名】全文
【補正方法】変更
【補正の内容】
【特許請求の範囲】
【請求項１】
飲料の注文および生成を促進するための方法であって、
第１のユーザによって共有されている前記飲料のレシピに対応する電子リンクの、第２のユーザによる起動に応答して電気信号を受信することと、
前記第２のユーザが、前記飲料の注文を行うことを可能にするためのユーザ選択可能またはユーザ入力可能注文フィールドを有するユーザインターフェースを生成することと、
前記注文フィールドを介して前記第２のユーザによって行われる入力に応答して前記飲料の注文を受信することと、
前記注文の前記受信に応答して、飲料生成装置に１つ以上の電子コマンド信号を送信して前記飲料の前記生成を命令することと、
前記１つ以上の電子コマンド信号に応答して前記装置において前記飲料を生成することと、
前記飲料の前記生成後に、指定の取り出し位置において前記第２のユーザに対する前記飲料の提供を行うことと
を含む、方法。
【請求項２】
前記飲料生成装置は、自動飲料生成キオスクを備え、前記飲料は、前記１つ以上の電子コマンド信号に応答して前記キオスクによって生成される、請求項１に記載の方法。
【請求項３】
前記方法の前記ステップは、前記第２のユーザから前記飲料に対する購入代金の支払いを受けることなく実施される、請求項１または２に記載の方法。
【請求項４】
前記飲料の前記注文の前記受信後に、前記方法は、前記第１のユーザから前記飲料に対する前記購入代金の支払いを取得することを含む、請求項３に記載の方法。
【請求項５】
前記命令するステップの前に、前記方法は、前記飲料を生成すべき位置を決定することを含む、請求項１から４のいずれか１項に記載の方法。
【請求項６】
前記命令するステップの前に、前記方法は、前記飲料を生成すべき時刻を決定することを含む、請求項１から５のいずれか１項に記載の方法。
【請求項７】
前記時刻は、該当日の時間および分で指定される、請求項６に記載の方法。
【請求項８】
前記第１のユーザからの、前記飲料の前記レシピを共有するための命令を表す電気信号を受信することと、
前記レシピに対応する前記電子リンクを生成することと、
前記電子リンクを前記第２のユーザに通信することと
を含む、請求項１から７のいずれか１項に記載の方法。
【請求項９】
前記第２のユーザへの前記電子リンクの前記通信後に、前記方法は、前記第１のユーザから前記飲料に対する購入代金の支払いを取得することを含む、請求項８に記載の方法。
【請求項１０】
前記通信するステップの前に、前記方法は、前記第１のユーザから前記飲料に対する購入代金の支払いを取得することを含む、請求項８に記載の方法。
【請求項１１】
前記生成するステップにおいて生成される前記ユーザインターフェースは、ユーザが前記レシピを修正することを可能にするためのユーザ選択可能またはユーザ入力可能レシピ修正フィールドを含み、
前記飲料の注文を受信する前記ステップは、前記ユーザインターフェースの前記注文フィールドおよび前記レシピ修正フィールドを介して前記第２のユーザによって行われる入力に応答して前記飲料の修正版の注文を受信することを含み、
前記命令するステップは、前記受信されている注文に応答して、前記飲料の前記修正版の前記生成を命令することを含む、請求項１から１０のいずれか１項に記載の方法。
【請求項１２】
前記第２のユーザからの、前記飲料の前記レシピを共有するための命令を表す電気信号を受信することと、
前記レシピに対応する第２の電子リンクを生成することと、
前記第２の電子リンクを１人または複数の受信者に通信することと
をさらに含む、請求項１から１１のいずれか１項に記載の方法。
【請求項１３】
飲料の注文および生成を促進するためのシステムであって、
電子処理ユニットと、
前記電子処理ユニットに電気的に結合されており、内部に命令を記憶されている電子メモリデバイスと
を備え、
前記電子処理ユニットは、前記電子メモリデバイスにアクセスし、前記電子メモリデバイス内に記憶されている前記命令を実行し、それによって、前記電子処理ユニットは、
第１のユーザによって共有されている前記飲料のレシピに対応する電子リンクの、第２のユーザによる起動に応答して電気信号を受信することと、
前記電気信号の受信に応じて、前記第２のユーザが、前記飲料の注文を行うことを可能にするためのユーザ選択可能またはユーザ入力可能注文フィールドを有するユーザインターフェースを生成することと、
前記注文フィールドを介して前記第２のユーザによって行われる入力に応答して前記飲料の注文を受信することと、
１つ以上のコマンド信号を飲料生成装置に送信することによって、前記受信された注文に応答して前記飲料の前記生成を命令することと
を行うように構成される、システム。
【請求項１４】
前記電子処理ユニットは、前記飲料の前記生成後に、取り出し位置において前記第２のユーザに対する前記飲料の提供を行うように構成されている、請求項１３に記載のシステム。
【請求項１５】
前記電子処理ユニットは、前記第１のユーザから購入代金の支払いを取得するように構成されている、請求項１３または１４に記載のシステム。
【請求項１６】
前記飲料生成装置は、自動飲料生成キオスクを備える、請求項１３から１５のいずれか１項に記載のシステム。
【請求項１７】
前記電子処理ユニットは、前記飲料を生成すべき位置を決定するように構成されている、請求項１３から１６のいずれか１項に記載のシステム。
【請求項１８】
前記電子処理ユニットは、前記飲料を生成すべき時刻を決定するように構成されている、請求項１３から１７のいずれか１項に記載のシステム。
【請求項１９】
前記時刻は、該当日の時間および分で指定される、請求項１８に記載のシステム。
【請求項２０】
前記電子処理ユニットによって生成される前記ユーザインターフェースは、ユーザが前記レシピを修正することを可能にするためのユーザ選択可能またはユーザ入力可能レシピ修正フィールドを含み、
前記電子処理ユニットによる前記注文の前記受信は、前記ユーザインターフェースの前記注文フィールドおよび前記レシピ修正フィールドを介して前記第２のユーザによって行われる入力に応答して前記飲料の修正版の注文を受信することを含み、
前記電子処理ユニットによる前記飲料の前記生成の前記命令は、前記受信されている注文に応答して、前記飲料の前記修正版の前記生成を命令することを含む、請求項１３から１９のいずれか１項に記載のシステム。
【請求項２１】
前記電子処理ユニットは、
前記第２のユーザからの、前記飲料の前記レシピを共有するための命令を表す電気信号を受信することと、
前記レシピに対応する第２の電子リンクを生成することと、
前記電子リンクを１人または複数の受信者に通信することと
を行うように構成されている、請求項１３から２０のいずれか１項に記載のシステム。
【請求項２２】
前記電子処理ユニットは、
前記第１のユーザからの、前記飲料の前記レシピを共有するための命令を表す電気信号を受信することと、
前記レシピに対応する前記電子リンクを生成することと、
前記電子リンクを前記第２のユーザに通信することと
を行うように構成されている、請求項１３から２１のいずれか１項に記載のシステム。
【請求項２３】
前記第２のユーザへの前記電子リンクの前記通信後に、前記電子処理ユニットは、前記第１のユーザから前記飲料に対する購入代金の支払いを取得するように構成されている、請求項２２に記載のシステム。
【請求項２４】
前記第２のユーザへの前記電子リンクの前記通信前に、前記電子処理ユニットは、前記第１のユーザから前記飲料に対する購入代金の支払いを取得するように構成されている、請求項２２に記載のシステム。
【請求項２５】
前記電子処理ユニットは、前記飲料の前記注文の前記受信後に、前記第１のユーザから前記飲料に対する購入代金の支払いを取得するように構成されている、請求項１３から２４のいずれか１項に記載のシステム。
【請求項２６】
飲料生成システムであって、
中央ホストと、
前記中央ホストと通信するように構成されており、各々が飲料の製造に寄与する１つまたは複数のプロセスを実施するように構成されている複数のプロセスモジュールを含むキオスクと
を備え、
前記中央ホストは、
第１のユーザによって共有されている前記飲料のレシピに対応する電子リンクの、第２のユーザによる起動に応答して電気信号を受信することと、
前記第２のユーザが、前記飲料の注文を行うことを可能にするためのユーザ選択可能またはユーザ入力可能注文フィールドを有するユーザインターフェースを生成することと、
前記注文フィールドを介して前記第２のユーザによって行われる入力に応答して前記飲料の注文を受信することと、
前記受信された注文に応答して、１以上のコマンド電気信号を前記キオスクに送信して、前記飲料の生成を指示することと
を行うように構成されており、
前記キオスクは、
前記中央ホストからの前記１以上のコマンド電気信号を受信することと、
前記受信された前記１以上のコマンド電気信号に応答して前記注文されている飲料を生成することと、
前記飲料の前記生成後に、前記第２のユーザに前記飲料を提供することと
を行うように構成されている、飲料生成システム。
【請求項２７】
前記中央ホストは、前記飲料の前記注文を受信するように構成されており、前記キオスクは、前記第２のユーザから前記飲料に対する購入代金の支払いを受けることなく、前記飲料を生成および提供するように構成されている、請求項２６に記載のシステム。
【請求項２８】
前記中央ホストは、前記第１のユーザから前記購入代金の支払いを取得するように構成されている、請求項２７に記載のシステム。
【請求項２９】
前記中央ホストは、前記飲料の前記注文の前記受信後に、前記第１のユーザから前記購入代金の支払いを取得するように構成されている、請求項２８に記載のシステム。
【請求項３０】
前記システムは、各々が前記中央ホストと通信するように構成されており、前記飲料の製造に寄与する１つまたは複数のプロセスを実施するように構成されている複数のプロセスモジュールを含む、複数のキオスクを備え、さらに、前記中央ホストは、前記飲料を生成すべき前記複数のキオスクのうちの１つを識別し、前記識別されたキオスクに前記１以上のコマンド電気信号を送信するように構成されている、請求項２６から２９のいずれか１項に記載のシステム。